(57)【要約】【課題】  両レンズが連結部材の両側にネジ止めされ、レンズ外側にはヨロイをネジ止めし、そしてヨロイには蝶番などの継手を介してツルを折畳み可能に取付けている縁なしメガネであって、レンズ外周に装飾部材を取付けた縁なしメガネの提供。【解決手段】  レンズ外周には凹溝１２を沿設し、装飾部材１の両端に水糸２を連結すると共に該水糸２をレンズ凹溝１２に嵌めて上記装飾部材１をレンズ外周に取付けている。【選択図】    図２ 
2005115080.tif 000002
【特許請求の範囲】
【請求項１】
両レンズが連結部材の両側にネジ止めされ、レンズ外側にはヨロイをネジ止めし、そしてヨロイには蝶番などの継手を介してツルを折畳み可能に取付けている縁なしメガネにおいて、上記レンズ外周には凹溝を沿設し、装飾部材の両端に水糸等の高張力糸を連結すると共に該高張力糸をレンズ凹溝に嵌めて上記装飾部材をレンズ外周に取付けたことを特徴とする縁なしメガネ。
【請求項２】
上記装飾部材の内側に設けた凸部をレンズ凹溝に嵌めて位置決めした請求項１記載の縁なしメガネ。
【請求項３】
上記装飾部材を細い線材としてレンズの上側外周に取付けた請求項１、又は請求項２記載の縁なしメガネ。
【請求項４】
上記装飾部材をブロック状としてレンズ外周の一部に取付けた請求項１、又は請求項２記載の縁なしメガネ。
【請求項５】
両レンズが連結部材の両端にネジ止めされ、レンズ外側にはヨロイをネジ止めし、そしてヨロイには蝶番などの継手を介してツルを折畳み可能に取付けている縁なしメガネの上記レンズ外周に取付けられる装飾部材において、装飾部材の両端には水糸等の高張力糸の両端を夫々連結し、内側には凸部を沿設したことを特徴とする装飾部材。
【発明の詳細な説明】
【技術分野】
【０００１】
本発明はレンズ外周に装飾部材を取付けることで、外観上がハーフリム型と成る縁なしメガネに関するものである。
【背景技術】
【０００２】
縁なしメガネとはリムを備えないで両レンズを連結部材の両側に直接ネジ止めし、そしてレンズ外側にはヨロイをネジ止めにて取着すると共に該ヨロイには蝶番などの継手を介してツルを折畳み可能に取付けて構成されている。図６は従来の一般的な縁なしメガネの外観を表している具体例である。
【０００３】
両レンズ(イ)、(イ)は連結部材(ロ)によってネジ止めされ、レンズ(イ)、(イ)の外側にはヨロイ(ハ)、(ハ)がネジ止めにて取着されている。そして、このヨロイ(ハ)には継手部を介してツル(ニ)が折畳み出来るように取付けされ、さらにレンズ(イ)の内側には上記連結部材(ロ)から延びる脚先端に鼻当てパット(ホ)が設けられている。
【０００４】
ところで、両レンズ(イ)、(イ)は連結部材(ロ)にてネジ止めされ、同じくヨロイ(ハ)はレンズ外側にネジ止めされているが、１本のネジでレンズ(イ)と連結固定する場合、ネジを中心として回転しない構造としなければならない。縁無しメガネではレンズの外周に当接する当り片(ヘ)を連結部材(ロ)並びにヨロイ(ハ)に設けることで、レンズの回転を阻止してガタ付かない構造が採用されている。
【０００５】
このように、両レンズ(イ)、(イ)を連結部材(ロ)の両サイドにネジ止めすると共にレンズ外側にヨロイ(ハ)、(ハ)をネジ止めされ、リムを備えないことで軽くて掛け易いといった利点がある。しかしその反面、リムがないことで装飾性に乏しいといった難点も指摘される。メガネは顔に掛ける為に、軽くて掛け易く、疲れ難いといった機能面に限らず、ファッション的要素も重要となる。
【０００６】
そこで、縁なしメガネのフロント部に設ける装飾手段として図７に示すようなものが知られている。この縁なしメガネではレンズ(イ)の上側半分の外周にカラフルな七宝樹脂(ト)を塗布し、外観上はハーフリム型メガネとして形成される。ところで、レンズ外周に七宝樹脂(ト)を塗布する作業は容易でなく、又均一な七宝樹脂(ト)を塗布・形成することは出来ない。
【０００７】
しかも、小売店にてレンズ(イ)の度数を決定し、このレンズ外周に七宝樹脂(ト)を塗布しなくてはならず、その為に該レンズ(イ)を製造メーカへ送って加工しなくてはならない。従って、顧客に手渡すには時間がかかり、同時にコストも高くなってしまう。更には七宝樹脂(ト)が付された縁なしメガネが、イメージした形態と異なることもあり、従来の方法では色々と問題も多い。
【発明の開示】
【発明が解決しようとする課題】
【０００８】
このように、従来の縁なしメガネ及び該メガネに施される装飾方法には上記のごとき問題がある。本発明が解決しようとする課題はこの問題点であり、装飾したメガネをその場で確認でき、コストも安く、一方において交換することも出来る装飾部材及び該装飾部材を取付けた縁なしメガネを提供する。
【課題を解決するための手段】
【０００９】
本発明に係る縁なしメガネはレンズ外周の一部に装飾部材を取付けて構成し、該装飾部材は着脱可能としている。その為に、装飾部材は水糸などの高張力糸に連結され，レンズ外周に形成した凹溝に嵌って取付けられる。すなわち、従来のハーフリムを装飾用としてレンズ外周に取付けたと同じような形態を構成する。ここで、この装飾部材は一般に樹脂材又はそれに相当する材質であるが、金属材を使用することも可能である。そしてその形態はハーフリムのごとき線材に限定するものではなく、レンズ外周に取付けることが出来る形態とされる。
【発明の効果】
【００１０】
本発明の装飾部材は糸を備えていて、レンズ外周に形成している凹溝に糸が嵌って取付けられる。勿論、装飾部材の内面に凸部等を設けていて、この凸部がレンズ凹溝に嵌って位置決めされる。この装飾部材は樹脂を成形することで低コストで簡単に製作できるために、小売店にカラフルで模様のある装飾部材を数多く準備され、メガネを購入するに際して実際にレンズに取付けて確認することが出来る。
【００１１】
従って、従来のように出来上がった七宝塗布の装飾状態がイメージと異なるといった問題は発生しない。そして、本発明の装飾部材は着脱自在であって、別の装飾部材と簡単に交換することで縁なしメガネは斬新なものとなる。一方、装飾部材は縁なしメガネとは独立して製作される為に、レンズ外周に塗布して形成される七宝とは違い、多種・多様な形態として構成出来、しかもカラフルで細かい模様を作る事が可能であり、縁なしメガネの装飾効果は大きく向上する。
【実施例】
【００１２】
図１は本発明に係る装飾部材１を示す実施例であり、水糸２の両先端は装飾部材１の両端に連結している。装飾部材１は一般に樹脂製であって、外表面には必要に応じて色々な模様を形成することが出来る。又、内側には凸部３を沿設している。そして、装飾部材１の凸部３及び両端に連結している水糸２はレンズ外周の凹溝に嵌って取付けられる。ここで、装飾部材１の両端では上記凸部３が一部削除されて穴が貫通し、この穴に水糸２が挿通すると共に抜けないように、水糸先端には溶融されたボール４，４が形成されている。
【００１３】
図２は本発明に係る縁なしメガネを示す実施例であって、この縁なしメガネのレンズ５の外周に上記図１に示している装飾部材１を取付けている。装飾部材１はレンズ上側に取付けられて下側には水糸２が張設されている。あくまでも、縁なしメガネであるために、両レンズ５，５は連結部材６の両端部にネジ止めされ、そしてレンズ外側にはヨロイ７，７がネジ止めにて取着されている。又、ヨロイ７，７には継手８，８を介してツル９，９が折畳み出来るように取付けられている。更には、連結部材６から脚１０，１０が下方へ延びて鼻当てパット１１，１１が取付けられている。
【００１４】
ところで、上記装飾部材１はレンズ上側に取付けられるが、レンズ５の外周には凹溝が形成されていて、この凹溝に装飾部材１の内側に突出した凸部３が嵌合して位置決めされ、そして装飾部材１の両端に連結した水糸２がレンズ凹溝に嵌って張設されている。従って、縁なしメガネは一般的なハーフリム型メガネとしての外観を呈すことが出来る。
【００１５】
図３はメガネレンズ５に取付けた装飾部材１の正面拡大図を示している。該装飾部材１は樹脂材を成形した細い線材であって、その表面はカラフルであり、又必要に応じて模様が形成されている。そして、装飾部材１は細い線材である為に、水糸２が張設されるならばレンズ外周になじんで取付けられる。すなわち、レンズ形状に合わせ成形しなくてもよく、あらゆるレンズに取付けすることが可能である。勿論、ある程度の太い装飾部材１であれば、前以て湾曲した形状に成形する方が好ましい。
【００１６】
図４はレンズ５に取付けられている装飾部材１の平面拡大図を示している。装飾部材１の両端に連結して延びる水糸２は、レンズ外周の凹溝１２に嵌って張設される為に外れることはない。
【００１７】
図５は縁なしメガネの他の実施例であり、この縁なしメガネには別形態の装飾部材１３が取付けられている。取付ける方法は、前記図２の場合と同様に両端に水糸２が連結し、この水糸２はレンズ凹溝に嵌って張設されている。
【図面の簡単な説明】
【００１８】
【図１】本発明に係る装飾部材。
【図２】装飾部材を取付けた縁なしメガネ。
【図３】縁なしメガネの一部正面拡大図。
【図４】縁なしメガネの一部平面拡大図。
【図５】装飾部材を取付けた縁なしメガネ。
【図６】従来の一般的な縁なしメガネ。
【図７】レンズに七宝樹脂を塗布した縁なしメガネ。
【符号の説明】
【００１９】
１  装飾部材
２  水糸
３  凸部
４  ボール
５  レンズ
６  連結部材
７  ヨロイ
８  継手
９  ツル
10  脚
11  鼻当てパット
12  凹溝
【図１】
2005115080.tif 000003
【図２】
2005115080.tif 000004
【図３】
2005115080.tif 000005
【図４】
2005115080.tif 000006
【図５】
2005115080.tif 000007
【図６】
2005115080.tif 000008
【図７】
2005115080.tif 000009